(57)【要約】【課題】光の色や明るさを大きく変化させることなく、誘目性を向上できる照明装置を提供する。【解決手段】相対的に目立ち指数の低い第１の光と相対的に目立ち指数の高い第２の光とを出力できる光出力部１１０と、第１の光と第２の光とを所定の時間間隔で切り替えて出力させるように光出力部１１０を制御する制御部１２０とを備える。【選択図】図１
2015026549.tif 000002
【特許請求の範囲】
【請求項１】
相対的に目立ち指数の低い第１の光と相対的に目立ち指数の高い第２の光とを出力できる光出力部と、
前記第１の光と前記第２の光とを所定の時間間隔で切り替えて出力させるように前記光出力部を制御する制御部とを備える
照明装置。
【請求項２】
前記光出力部は、一定の光色の光を出力する光源部と、前記光源部から出力された光の目立ち指数を変化させる目立ち指数可変部とを有する
請求項１に記載の照明装置。
【請求項３】
前記光源部は、白色光を放出する光源を含み、
前記目立ち指数可変部は、略５６０ｎｍ〜略５９０ｎｍの範囲の波長の光を選択的に吸収する波長吸収材料を含むフィルタを有し、
さらに、前記光源と前記フィルタとの相対的な位置関係を変化させる駆動部を有する
請求項２に記載の照明装置。
【請求項４】
前記フィルタは、透光性のパネルの一部に設けられており、
前記駆動部は、前記パネルを回転させるように駆動する
請求項３に記載の照明装置。
【請求項５】
前記光出力部は、光色が互いに略同一であり、かつ、目立ち指数が互いに異なる少なくとも２種類以上の複数の白色光源を有する
請求項１に記載の照明装置。
【請求項６】
同一種類の前記白色光源が複数配置されており、
前記制御部は、前記同一種類の白色光源ごとに異なるタイミングで光を出力するように光出力部を制御する
請求項５に記載の照明装置。
【請求項７】
前記制御部は、前記第１の光と前記第２の光とを瞬時に切り替える
請求項１〜６のいずれか１項に記載の照明装置。
【請求項８】
前記制御部は、前記第１の光の出力又は前記第２の光の出力が徐々に変化するように、前記第１の光と前記第２の光とを切り替える
請求項１〜６のいずれか１項に記載の照明装置。
【請求項９】
前記制御部は、前記第１の光と前記第２の光とが交互に出力するように前記光出力部を制御する
請求項１〜８のいずれか１項に記載の照明装置。
【請求項１０】
さらに、前記所定の時間間隔、及び、目立ち指数の異なる光を切り替えるスピードの少なくとの一方を入力するための入力部を備える
請求項１〜９のいずれか１項に記載の照明装置。
【発明の詳細な説明】
【技術分野】
【０００１】
本発明は、照明装置に関する。
【背景技術】
【０００２】
照明装置は、視認性を確保するためだけでなく、様々な演出にも用いられている。例えば、看板や建築物等に対しては人目を引くような照明装置が用いられている。
【０００３】
この種の照明装置には、透光性パネルの背面に光源を配置して照射対象物を背面から照らす方法（内照式）がある（例えば特許文献１）。また、ライトアップ等により照射対象物を前面から照らす方法（外照式）、又は、蛍光灯やネオン管等の光源を認識させたい文字や絵柄（掲示内容）等の形状に加工して発光させる方法（自発光式）等がある。
【０００４】
自発光式の照明装置（看板等）は、点滅させたり色を変化させたりすることによって誘目性の高い演出を行うことができるが、掲示内容を容易に変更することができない。また、昼間の消灯時においては、見ばえが好ましくない。
【０００５】
一方、内照式及び外照式の照明装置（看板等）は、掲示内容を比較的容易に変更することができる。例えば、内照式の照明装置では、前面の透光性パネルを取り替えることによって掲示内容を容易に変更することができる。また、外照式の照明装置では、照らされる看板そのものを取り替えることによって掲示内容を簡単に変更することができる。
【先行技術文献】
【特許文献】
【０００６】
【特許文献１】特開２０１０−２０２７５号公報
【発明の概要】
【発明が解決しようとする課題】
【０００７】
しかしながら、内照式及び外照式の照明装置は、照射対象物全体をほぼ均一に照らすので、誘目性が低いという課題がある。
【０００８】
一方、誘目性を高めるために、ネオンサイン等の光源を点滅させる等によって光の色や明るさ（照度）を大きく変化させることが考えられるが、光の色や明るさを大きく変化させると、煩わしさを感じたり光害の一因につながったりする。
【０００９】
本発明は、このような課題を解決するためになされたものであり、光の色や明るさを大きく変化させることなく、誘目性を向上できる照明装置を提供することを目的とする。
【課題を解決するための手段】
【００１０】
上記目的を達成するために、本発明に係る照明装置の一態様は、相対的に目立ち指数の低い第１の光と相対的に目立ち指数の高い第２の光とを出力できる光出力部と、前記第１の光と前記第２の光とを所定の時間間隔で切り替えて出力させるように前記光出力部を制御する制御部とを備えることを特徴とする。
【００１１】
また、本発明に係る照明装置の一態様において、前記光出力部は、一定の光色の光を出力する光源部と、前記光源部から出力された光の目立ち指数を変化させる目立ち指数可変部とを有する、としてもよい。
【００１２】
また、本発明に係る照明装置の一態様において、前記光源部は、白色光を放出する光源を含み、前記目立ち指数可変部は、略５６０ｎｍ〜略５９０ｎｍの範囲の波長の光を選択的に吸収する波長吸収材料を含むフィルタを有し、さらに、前記光源と前記フィルタとの相対的な位置関係を変化させる駆動部を有する、としてもよい。
【００１３】
さらに、本発明に係る照明装置の一態様において、前記フィルタは、透光性のパネルの一部に設けられており、前記駆動部は、前記パネルを回転させるように駆動する、としてもよい。
【００１４】
また、本発明に係る照明装置の一態様において、前記光出力部は、光色が互いに略同一であり、かつ、目立ち指数が互いに異なる少なくとも２種類以上の複数の白色光源を有する、としてもよい。
【００１５】
さらに、本発明に係る照明装置の一態様において、同一種類の前記白色光源が複数配置されており、前記制御部は、前記同一種類の白色光源ごとに異なるタイミングで光を出力するように光出力部を制御する、としてもよい。
【００１６】
また、本発明に係る照明装置の一態様において、前記制御部は、前記第１の光と前記第２の光とを瞬時に切り替える、としてもよい。
【００１７】
また、本発明に係る照明装置の一態様において、前記制御部は、前記第１の光の出力又は前記第２の光の出力が徐々に変化するように、前記第１の光と前記第２の光とを切り替える、としてもよい。
【００１８】
また、本発明に係る照明装置の一態様において、前記制御部は、前記第１の光と前記第２の光とが交互に出力するように前記光出力部を制御する、としてもよい。
【００１９】
また、本発明に係る照明装置の一態様において、さらに、前記所定の時間間隔、及び、目立ち指数の異なる光を切り替えるスピードの少なくとの一方を入力するための入力部を備える、としてもよい。
【発明の効果】
【００２０】
本発明によれば、光の色や明るさを大きく変化させることなく、誘目性を向上できる。
【図面の簡単な説明】
【００２１】
【図１】図１は、本発明の実施の形態１に係る照明装置のブロック図である。
【図２】図２は、本発明の実施の形態１に係る照明装置の概略構成を示す図である。
【図３】図３は、本発明の実施の形態１に係る照明装置において、フィルタ透過前後における光源（白色ＬＥＤ光源）から出射する白色光の分光分布を示す図である。
【図４】図４は、本発明の実施の形態１に係る照明装置において、光源（白色ＬＥＤ光源）から出射する光のフィルタ透過前後における照射対象物の表面の赤、青、黄、緑、白の見え方の変化を表す色度図である。
【図５】図５は、本発明の実施の形態１に係る照明装置において、フィルタ透過前後における光源（白色ＬＥＤ光源）から出射する白色光の特性を示す図である。
【図６】図６は、本発明の実施の形態１に係る照明装置の動作を説明するための図である。
【図７】図７は、本発明の実施の形態２に係る照明装置のブロック図である。
【図８】図８は、本発明の実施の形態２に係る照明装置の概略構成を示す図である。
【図９】図９は、本発明の実施の形態２に係る照明装置において、第１の光源及び第２の光源から出射する白色光の分光分布を示す図である。
【図１０】図１０は、本発明の実施の形態２に係る照明装置において、第１の光源及び第２の光源から出射する光の照射対象物の表面の赤、青、黄、緑、白の見え方の変化を表す色度図である。
【図１１】図１１は、本発明の実施の形態２に係る照明装置の動作を説明するための図である。
【図１２】図１２は、本発明の変形例１に係る照明装置の概略構成を示す図である。
【図１３】図１３は、本発明の変形例２に係る照明装置の動作を説明するための図である。
【発明を実施するための形態】
【００２２】
（本発明の一態様を得るに至った経緯）
近年、ある光源が照射対象物の色をどれだけ鮮やかに見えるかを表す指標として、目立ち指数（ＦＣＩ：Ｆｅｅｌｉｎｇ  ｏｆ  Ｃｏｎｔｒａｓｔ  Ｉｎｄｅｘ）というものが提案されている（例えば、新編色彩科学ハンドブック［第３版］日本色彩学会編）。
【００２３】
目立ち指数（ＦＣＩ）は、以下の（式１）で定義される値であり、ＦＣＩが１００より大きい光源は、基準の光源よりも照射対象物の色を鮮やかに演色し、目立ち感を高めることができるとされる。
【００２４】
なお、（式１）において、「ＧＬＡＢ（Ｔ）」とは、テスト光源下における赤・青・緑・黄の４色配色サンプルのＬＡＢ表色系における色域面積を示している。また、「ＧＬＡＢ（Ｄ６５）」は、基準光源Ｄ６５（デイライト６５００Ｋの色温度）下での同４色配色サンプルのＬＡＢ表色系における色域面積を示している。
【００２５】
【数１】
2015026549.tif 000003
【００２６】
例えば、鮮やかな色の物体を照らしたときの色の見え方を比較すると、ＦＣＩが１５０の光源で１０００ルクスの明るさで照らしたときと、ＦＣＩが１００の光源で１５００ルクスの明るさで照らしたときに同等の目立ち感を得ることができる。
【００２７】
また、ＦＣＩの高い光とＦＣＩの低い光とで光色が同一であれば、白、灰色又は黒色等の無彩色では色の見えの鮮やかさが変わらず、彩度の高い赤又は緑等の有彩色では色の見えの鮮やかさが大きく変化する。
【００２８】
一方、上述のとおり、人目を引きつけるための照明装置では、光の色や明るさを大きく変化させることなく、誘目性を向上させることが課題となっている。
【００２９】
そこで、本発明者らは、鋭意検討した結果、目立ち指数（ＦＣＩ）の異なる複数の光の出力を制御することによって、光の色や明るさを大きく変化させることなく誘目性を向上できるということを見出した。本発明は、このような知見に基づいてなされたものである。
【００３０】
（実施の形態）
以下、本発明の実施の形態について、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置及び接続形態、並びに、ステップ及びステップの順序などは、一例であって本発明を限定する主旨ではない。よって、以下の実施の形態における構成要素のうち、本発明の最上位概念を示す独立請求項に記載されていない構成要素については、任意の構成要素として説明される。
【００３１】
なお、各図は、模式図であり、必ずしも厳密に図示されたものではない。また、各図において、実質的に同一の構成に対しては同一の符号を付しており、重複する説明は省略又は簡略化する。
【００３２】
（実施の形態１）
まず、本発明の実施の形態１に係る照明装置１の構成について、図１及び図２を用いて説明する。図１は、本発明の実施の形態１に係る照明装置のブロック図である。図２は、本発明の実施の形態１に係る照明装置の概略構成を示す図である。
【００３３】
図１に示すように、本実施の形態に係る照明装置１は、相対的に目立ち指数の低い第１の光と相対的に目立ち指数の高い第２の光とを出力できる光出力部１１０と、第１の光と第２の光とを所定の時間間隔で切り替えて出力させるように光出力部１１０を制御する制御部１２０とを備える。照明装置１は、さらに、駆動部１３０と、筐体１４０とを備える。
【００３４】
光出力部１１０から出力される光は照明装置１の照明光として放射され、光出力部１１０から出力される光によって所定の測定対象物が照らされる。
【００３５】
本実施の形態における光出力部１１０は、一定の光色の光を出力する光源部１１１と、光源部１１１から出力された光の目立ち指数（ＦＣＩ）を時間的に変化させることができる目立ち指数可変部１１２とを有する。目立ち指数可変部１１２は、制御部１２０によって制御され、目立ち指数の異なる第１の光と第２の光とを出力する。
【００３６】
図２に示すように、本実施の形態における照明装置１は、外照式の照明装置であって、例えば看板等を照らすスポットライトである。以下、照明装置１の各構成部材について詳細に説明する。
【００３７】
［光源部］
光源部１１１は、図２に示すように、光源１１１ａと、光源１１１ａを配置するための基板１１１ｂとを有する。光源部１１１は、筐体１４０に固定される。
【００３８】
光源１１１ａは、ＬＥＤ素子、有機ＥＬ素子（ＯＬＥＤ）又は無機ＥＬ素子等の固体発光素子である。本実施の形態では、光源１１１ａとして、ＬＥＤ素子（ＬＥＤ光源）を用いている。一例として、図２に示すように、３つの光源１１１ａが円板状の基板１１１ｂの周方向に等間隔（１２０°間隔）で配置されている。３つの光源１１１ａは、いずれも同じものであり、各々が一定の光色の光を出力する。つまり、光源１１１ａが発する光の色温度は変化しない。
【００３９】
光源１１１ａ（ＬＥＤ素子）は、例えば、ＬＥＤチップと、蛍光体等の波長変換材とによって構成することができる。このような光源１１１ａ（ＬＥＤ素子）の構造としては、ＣＯＢ（Ｃｈｉｐ  Ｏｎ  Ｂｏａｒｄ）構造及びＳＭＤ（Ｓｕｒｆａｃｅ  Ｍｏｕｎｔ  Ｄｅｖｉｃｅ）構造のいずれであってもよい。ＣＯＢ構造のＬＥＤ素子は、基板に直接実装された複数のＬＥＤチップを蛍光体含有樹脂によって個々に又は複数個一括して封止した構成である。一方、ＳＭＤ構造のＬＥＤ素子は、パッケージ型の素子であり、凹部を有する白色樹脂等の容器（パッケージ）内に実装されたＬＥＤチップを蛍光体含有樹脂で封止した構成である。
【００４０】
ＬＥＤチップは、所定の直流電力により発光する半導体発光素子の一例であって、単色の可視光を発するベアチップである。ＬＥＤチップは、例えば、通電されれば青色光を発する青色ＬＥＤチップが用いられる。青色ＬＥＤチップは、３８０ｎｍ〜５００ｎｍの波長域に主たる発光ピークを有し、窒化ガリウム系の半導体材料によって構成することができる。
【００４１】
蛍光体は、ＬＥＤチップが発する光によって励起されて所望の色（波長）の光を放出する。青色ＬＥＤチップを用いる場合、５４５ｎｍ〜５９５ｎｍの波長域に主たる発光ピークを有する黄色蛍光体を用いることができる。このような黄色蛍光体の一例として、ＹＡＧ（イットリウム・アルミニウム・ガーネット）系蛍光体があげられる。蛍光体は、シリコーン樹脂等の透光性絶縁材料に含有されて蛍光体含有樹脂として構成される。
【００４２】
このように、本実施の形態における光源１１１ａは、青色ＬＥＤチップと黄色蛍光体とによって構成されたＢ−Ｙタイプの白色ＬＥＤ素子からなる白色ＬＥＤ光源である。この場合、黄色蛍光体は青色ＬＥＤチップが発した青色光の一部を吸収して励起されて黄色光を放出するので、この黄色光と黄色蛍光体に吸収されなかった青色光とが混ざって白色光が放出される。
【００４３】
なお、光源１１１ａは、光色が同じ１種類のＬＥＤ素子を３個用いているが、白色光を出力できれば種類は複数でもよく、また、個数も１つ以上あればよい。
【００４４】
また、本実施の形態において、光源１１１ａは、青色ＬＥＤチップと黄色蛍光体との組み合わせとしたが、白色光を出力できれば、これ以外の構成でも構わない。例えば、黄色蛍光体を用いずに、赤色蛍光体及び緑色蛍光体を含有する蛍光体含有樹脂を用いて、これと青色ＬＥＤチップとを組み合わせることによりに白色光を放出するように構成してもよい。さらに、青色ＬＥＤチップと黄色蛍光体との組み合わせにおいて、演色性を高めるために、黄色蛍光体に加えて、さらに赤色蛍光体や緑色蛍光体を混ぜても構わない。
【００４５】
基板１１１ｂは、光源１１１ａを配置するための基台である。基板１１１ｂとしては、樹脂をベースとする樹脂基板、セラミックからなるセラミック基板、金属をベースとするメタルベース基板等を用いることができる。また、基板１１１ｂの形状は、筐体１４０の形状等に応じて適宜選択することができ、例えば円板状や矩形板状とすることができる。本実施の形態では、円板状の基板１１１ｂを用いている。
【００４６】
また、基板１１１ｂは、所定形状の金属配線が形成された配線基板としてもよい。この場合、基板１１１ｂには、例えば、光源１１１ａ（ＬＥＤ素子）に供給する直流電力を受電するための一対の外部接続端子と、当該外部接続端子と光源１１１ａとを電気的に接続するための金属配線（金属パターン）とが設けられる。一対の外部接続端子は、電線等によって筐体１４０内の電源回路と電気的に接続される。
【００４７】
［目立ち指数可変部］
図２に示すように、目立ち指数可変部１１２は、光源部１１１の前方（光出力側）に配置されており、光源部１１１から出力された光の目立ち関数を所定の時間間隔で変化させる。目立ち指数可変部１１２は、透光性のパネル１１２ａと、当該パネル１１２ａの一部に設けられたフィルタ１１２ｂとを有する。
【００４８】
パネル１１２ａ（前面パネル）は、例えば円板状の透光性パネルであり、光源１１１ａに対向するように配置される。パネル１１２ａは、ガラスや透明樹脂等の透明材料を用いて構成されており、光源部１１１から出射する光は、パネル１１２ａを透過する際に、彩度及び光色は変化しない。つまり、光源部１１１から出射する光は、パネル１１２ａを透過する際に、目立ち指数も色温度も変化しない。
【００４９】
また、パネル１１２ａは、円板の中心を軸として回転可能となっており、駆動部１３０によって回転する。パネル１１２ａが回転することによって、光源１１１ａとフィルタ１１２ｂとの相対的な位置関係が時間的に変化する。
【００５０】
フィルタ１１２ｂは、可視光域の一部の波長（特定波長）を選択的に吸収する波長吸収材料を含む光透過性部品である。つまり、フィルタ１１２ｂを透過する光は、一部の波長が当該フィルタ１１２ｂによって選択的に吸収される。本実施の形態におけるフィルタ１１２ｂは、白色ＬＥＤ光源である光源１１１ａから放出される白色光に対して、略５６０ｎｍ〜略５９０ｎｍの範囲の波長の光を選択的に吸収する。フィルタ１１２ｂの材料としては、一例としてネオジウムガラスを用いることができるが、これ以外に、色素フィルタ等を用いてもよい。
【００５１】
フィルタ１１２ｂは、例えばパネル１１２ａの一方の面に形成することができる。なお、フィルタ１１２ｂは、パネル１１２ａに埋め込まれていてもよい。一例として、図２に示すように、３つのフィルタ１１２ｂが円板状のパネル１１２ａの周方向に等間隔（１２０°間隔）で配置されている。３つのフィルタ１１２ｂは、いずれも同じものである。
【００５２】
ここで、図３〜図５を用いて、フィルタ１１２ｂを透過する前と透過した後とにおける光源１１１ａ（白色ＬＥＤ光源）から出力される白色光（相関色温度３０００Ｋ）の特性について説明する。
【００５３】
図３は、フィルタ１１２ｂを透過する前と透過した後とにおける光源１１１ａ（白色ＬＥＤ光源）から出射する白色光の分光分布を示している。
【００５４】
図３に示すように、光源１１１ａ（白色ＬＥＤ光源）から出射する白色光は、フィルタ１１２ｂを透過することによって、略５６０ｎｍ〜略５９０ｎｍの波長の成分が選択的に吸収される。
【００５５】
図４は、白色光源である光源１１１ａから出射する光がフィルタ１１２ｂを透過する前と透過した後とについて、照射対象物の表面の赤、青、黄、緑、白の見え方の変化を表す色度図を示している。
【００５６】
図４に示すように、光源１１１ａの発光色である白色については、フィルタ１１２ｂを透過する前と透過した後とでは、ほとんど変化はみられない。一方、赤色と緑色については、フィルタ１１２ｂを透過することによって変化している。つまり、光源１１１ａの光は、フィルタ１１２ｂの透過前後で発光色は変わらないが、フィルタ１１２ｂを透過することでその光で照らされた物体の鮮やかさ（彩度）が変化することが分かる。
【００５７】
図５は、フィルタ１１２ｂを透過する前と透過した後とにおける光源１１１ａ（白色ＬＥＤ光源）から出射する白色光の特性を示している。図５において、「Ｄｕｖ」は、黒体放射軌跡からの偏差を示しており、「ＦＣＩ」は目立ち指数を示している。
【００５８】
図５に示すように、光源１１１ａから出射した光は、フィルタ１１２ｂを透過する前と透過する後とではいずれも相関色温度が３０００Ｋである。つまり、光源１１１ａから出射した光は、フィルタ１１２ｂの透過前後で相関色温度が変化しないことが分かる。
【００５９】
また、フィルタ１１２ｂを透過する前と透過した後とではいずれもＤｕｖが±１０以内であるので、光源１１１ａから出射した光はフィルタ１１２ｂの透過前後で白色光のままであることが分かる。なお、フィルタ１１２ｂを透過する前の光は、Ｄｕｖが−０．７であって、わずかに赤色がかった白色光であるのに対して、フィルタ１１２ｂを透過した後の光は、Ｄｕｖが０．４であって、わずかに緑色がかった白色光である。
【００６０】
また、光源１１１ａから出射した光のＦＣＩは、フィルタ１１２ｂを透過する前は１０８であったのに対して、フィルタ１１２ｂを透過した後は１２９である。つまり、光源１１１ａから出射した光は、フィルタ１１２ｂを透過することで、ＦＣＩが大きくなることが分かる。
【００６１】
このように、図３〜図５に示す結果から、光源１１１ａ（白色ＬＥＤ光源）から出力される光は、フィルタ１１２ｂを透過することによって、光色は変化しないが、その光によってたらされた物体の色の鮮やかさ（彩度）が変化する。
【００６２】
［制御部］
制御部１２０は、光源部１１１の点灯状態を制御する。具体的には、光源１１１ａを点灯（発光）させたり消灯させたりするための電気信号を光出力部１１０に供給する。
【００６３】
また、制御部１２０は、目立ち指数が異なる第１の光と第２の光とが光出力部１１０から交互に出力するように光出力部１１０を制御する。本実施の形態において、第１の光は、相対的に目立ち指数が低い光であって、光源１１１ａから出射する白色光がフィルタ１１２ｂを透過することなくパネル１１２ａを透過する光である。また、第２の光は、相対的に目立ち指数が高い光であって、光源１１１ａから出力する白色光がフィルタ１１２ｂを透過した光である。例えば、第１の光の目立ち指数は１０８であり、第２の光の目立ち指数は１２９である。
【００６４】
なお、本実施の形態では、目立ち指数が変化する範囲を１２９から１０８としているが、これに限らない。また、２つの光の目立ち指数の差は、少なくとも１０以上あれば、目立ち指数の値はいくつであっても構わず、目立ち指数の差が大きいほど、より大きな見た目の変化を実現することができる。
【００６５】
制御部１２０は、さらに、目立ち指数可変部１１２を駆動するための駆動部１３０を制御する。具体的には、駆動部１３０によってパネル１１２ａを所望の回転させるための電気信号を駆動部１３０に供給する。
【００６６】
なお、制御部１２０は、入力部（不図示）からの入力信号に基づいて、パネル１１２ａの回転速度を変化させるための信号を駆動部１３０に供給してもよい。これにより、目立ち指数の異なる光の出力を切り替える時間の間隔と速さを調整することができる。また、制御部１２０は、入力部からの信号に基づいて、光源１１１ａの点灯個数を変更する信号を光源部１１１に供給してもよい。
【００６７】
［駆動部］
駆動部１３０は、光源１１１ａとフィルタ１１２ｂとの相対的な位置関係を時間的に変化させる。具体的には、駆動部１３０は、光源１１１ａの前方にフィルタ１１２ｂを存在させたり存在させなかったりするように、光源１１１ａとフィルタ１１２ｂとの相対的な位置関係を変化させる。
【００６８】
光源１１１ａとフィルタ１１２ｂとの相対的な位置関係を変化させることによって、光源１１１ａから出射する光のフィルタ１１２ｂの透過及び非透過を時間的に制御することができ、光出力部１１０から出力される光の分光分布を時間的に制御できる。これにより、光出力部１１０から出力される光の目立ち指数（ＦＣＩ）を変化させることができる。つまり、目立ち指数の低い光と目立ち指数の高い光とを交互に出力させることができる。
【００６９】
駆動部１３０は、例えばモータ及びモータ軸を有し、パネル１１２ａを回転させるように駆動する。駆動部１３０によってパネル１１２ａが回転することで、光源１１１ａから出射する光がフィルタ１１２ｂを透過したり透過しなかったりして光出力部１１０から出力される。また、パネル１１２ａの回転速度を変化させることで、目立ち指数の低い光と目立ち指数の高い光とを点灯させる時間の間隔を変更することができる。
【００７０】
なお、本実施の形態では、光源１１１ａとフィルタ１１２ｂとの相対的な位置を変える方法として、フィルタ１１２ｂが設けられたパネル１１２ａを回転させる方式を示したが、他の方法を用いてもよい。例えば、パネル１１２ａ（フィルタ１１２ｂ）を前後左右にスライドさせることで、光源１１１ａとフィルタ１１２ｂとの相対的な位置を変えてもよい。
【００７１】
［動作］
次に、本実施の形態に係る照明装置１の動作について、図６を用いて説明する。図６は、本発明の実施の形態１に係る照明装置の動作を説明するための図である。
【００７２】
まず、電源をＯＮすると光源部１１１（光源１１１ａ）が点灯し、光出力部１１０から所定の光が出力する。
【００７３】
例えば、図６（ａ）に示すように、３つのフィルタ１１２ｂが３つの光源１１１ａから出射する光の光路上のそれぞれに重ならない位置にあるとする。
【００７４】
この場合、３つの光源１１１ａから出射する光はいずれもフィルタ１１２ｂを透過しないので、図２における光出力部１１０からは目立ち指数が低い白色光（例えばＦＣＩ＝１０８）が出力される。これにより、看板等の照射対象物は、目立ち指数が低い白色光で照らされる。
【００７５】
次いで、所定時間後、駆動部１３０によってパネル１１２ａが所定の角度で回転させられると、図６（ｂ）に示すように、３つのフィルタ１１２ｂが３つの光源１１１ａから出射する光の光路上のそれぞれに重なる位置に移動する。図６（ｂ）は、図６（ａ）の状態から、１８０°回転させたときの状態を示している。
【００７６】
この場合、３つの光源１１１ａからの光はいずれもフィルタ１１２ｂを透過するので、図２における光出力部１１０からは目立ち指数が高い白色光（例えばＦＣＩ＝１２９）が出力される。これにより、看板等の照射対象物は、目立ち指数が高い白色光で照らされる。
【００７７】
その後、駆動部１３０によってパネル１１２ａが回し続けられると、光源１１１ａから出射する光がフィルタ１１２ｂを透過せずに出力される状態とフィルタ１１２ｂを透過して出力される状態とが交互に繰り返される。つまり、図２における光出力部１１０からは、目立ち指数の低い光（フィルタ１１２ｂを透過しない光）と目立ち指数の高い光（フィルタ１１２ｂを透過した光）とが所定の時間間隔で交互に切り替えられて出力される。例えば、このように光を変化させることによって同一の照射対象物の色の見えが、図４に示すように変化する。
【００７８】
なお、光出力部１１０から出力される光は、目立ち指数の低い光と目立ち指数の高い光とが切り変えられても光色や明るさ（照度）はほとんど変化しない。
【００７９】
このように、光出力部１１０から出力する光の目立ち指数を時間的に変化させることによって、照射対象物の無彩色や低彩度色の見えはあまり変化させることなく、高彩度色の鮮やかさだけを大きく変化させることができる。したがって、高彩度色の部分だけが明滅しているような演出効果を得ることができる。この結果、照射対象物の目立ち感を変化させることができるので、照射対象物の誘目性を高めることができる。
【００８０】
なお、目立ち指数の低い光と目立ち指数の高い光とを切り替えるときの時間間隔（変化速度）は、例えば、数秒程度の間隔（例えば１秒間隔）とすることができる。
【００８１】
［効果等］
以上、本実施の形態に係る照明装置１によれば、照明光として目立ち指数の異なる光を所定の時間間隔で切り替えて出力させることができる。これにより、照明装置１から出力される光（照明光）は、光色及び照度が同じままでその光で照らされた物体（照射対象物）の彩度（鮮やかさ）が変化する。この結果、照射対象物の色の見えがくすんだ状態と鮮やかな状態とに変化し、照射対象物の色自体が変化しているような演出効果が得られる。したがって、照射対象物の誘目性を高めることができる。また、光自体の色や明るさの大きな変化を伴わないので、煩わしさ感や光害を抑制できる。
【００８２】
さらに、本実施の形態に係る照明装置１は、外照式の照明装置であるので、看板等の掲示内容を変えたい場合等で照射対象物を変更したい場合であっても、容易に照射対象物を取り替えることができる。
【００８３】
また、本実施の形態では、光源部１１１として一定の光色の光を出力する光源１１１ａを用いており、光源部１１１から出力される光を目立ち指数可変部１１２によって目立ち指数を変化させている。
【００８４】
この構成により、光の色や明るさの変化を抑えながら目立ち指数の異なる複数の光を容易に出力させることができる。
【００８５】
また、本実施の形態では、光源部１１１（光源１１１ａ）に白色光を出力する白色光源を用い、また、目立ち指数可変部１１２に略５６０ｎｍ〜略５９０ｎｍの範囲の波長の光を選択的に吸収するフィルタ１１２ｂを用いて、そして、光源１１１ａとフィルタ１１２ｂとの相対的な位置関係を変化させている。
【００８６】
この構成により、少なくとも光色が１種類の光源１１１ａだけで目立ち指数の異なる複数の光を容易に出力させることができる。
【００８７】
また、本実施の形態では、フィルタ１１２ｂが設けられたパネル１１２ａを回転させることによって、異なる目立ち指数について一方の目立ち指数の値から他方の目立ち指数の値に切り替える際に、一方の目立ち指数の光と他方の目立ち指数の光とを瞬時に切り替えて出力させている。
【００８８】
これにより、照射対象物の高彩度色の部分が点滅しているような視覚効果を得ることができる。
【００８９】
なお、違和感のない範囲で明るさを多少変化させてもよい場合は、目立ち指数を切り替える際に光源１１１ａの光出力を徐々に変化させるように切り替えのスピードを制御してもよい。これにより、フェードイン又はフェードアウトの視覚効果を得ることができる。
【００９０】
（実施の形態２）
次に、本発明の実施の形態２に係る照明装置２の構成について、図７及び図８を用いて説明する。図７は、本発明の実施の形態２に係る照明装置のブロック図である。図８は、本発明の実施の形態２に係る照明装置の概略構成を示す図である。
【００９１】
図７に示すように、本実施の形態に係る照明装置２は、実施の形態１の照明装置１と同様に、相対的に目立ち指数の低い第１の光と相対的に目立ち指数の高い第２の光とを出力できる光出力部２１０と、第１の光と第２の光とを所定の時間間隔で切り替えて出力させるように光出力部２１０を制御する制御部２２０とを備える。本実施の形態における照明装置２は、さらに、入力部２５０を備える。
【００９２】
本実施の形態における光出力部２１０は、光色が互いに略同一であり、かつ、目立ち指数が互いに異なる少なくとも２種類の光源を有する光源部２１１を備える。
【００９３】
図８に示すように、本実施の形態における照明装置２は、看板等を照らす外照式の照明装置である。以下、照明装置２の各構成部材について詳細に説明する。
【００９４】
［光源部］
光源部２１１は、図８に示すように、第１の光源２１１ａと、第２の光源２１１ｂとを有する。第１の光源２１１ａ及び第２の光源２１１ｂは、実施の形態１と同様に、ＬＥＤ素子、有機ＥＬ素子（ＯＬＥＤ）又は無機ＥＬ素子等の固体発光素子である。
【００９５】
第１の光源２１１ａ及び第２の光源２１１ｂは、実施の形態１における光源１１１ａと同様の構成とすることができ、例えば、Ｂ−Ｙタイプの白色ＬＥＤ素子からなる白色ＬＥＤ光源である。
【００９６】
但し、本実施の形態における第１の光源２１１ａ及び第２の光源２１１ｂは、光色は互いに略同一であるが、目立ち指数は互いに異なる。例えば、第１の光源２１１ａは、相対的に目立ち指数が低い光（第１の光）を発するように構成されており、第２の光源２１１ｂは、相対的に目立ち指数が高い光（第２の光）を発するように構成されている。
【００９７】
具体的には、第１の光源２１１ａとして実施の形態１の光源１１１ａと同じものを用い、第２の光源２１１ｂとして実施の形態１の光源１１１ａの蛍光体含有樹脂の中にネオジウムガラスを混ぜたものを用いることができる。
【００９８】
ここで、図９及び図１０を用いて、第１の光源２１１ａ及び第２の光源２１１ｂから出力される白色光の特性について説明する。
【００９９】
図９は、第１の光源２１１ａ及び第２の光源２１１ｂから出射する白色光の分光分布を示している。
【０１００】
図９に示すように、第１の光源２１１ａから出射する白色光は、第２の光源２１１ｂから出射する白色光に対して、略５６０ｎｍ〜略５９０ｎｍの波長の成分が選択的に吸収された光である。
【０１０１】
図１０は、第１の光源２１１ａ及び第２の光源２１１ｂから出射する光について、照射対象物の表面の赤、青、黄、緑、白の見え方の変化を表す色度図を示している。
【０１０２】
図１０に示すように、第１の光源２１１ａ及び第２の光源２１１ｂの発光色である白色については、第１の光源２１１ａと第２の光源２１１ｂフィルタ１１２ｂとでは、ほとんど変化はみられない。一方、赤色と緑色については、第１の光源２１１ａと第２の光源２１１ｂとで変化している。つまり、第１の光源２１１ａの光と第２の光源２１１ｂの光とについては、発光色は変わらないが、その光で照らされた物体の色の鮮やかさ（彩度）が異なっている。一例として、第１の光源２１１ａの光の目立ち指数は１０８であり、第２の光源２１１ｂの光の目立ち指数は１２９である。
【０１０３】
なお、本実施の形態において、第１の光源２１１ａ及び第２の光源２１１ｂは、それぞれ複数個（例えば９個ずつ）設けられているが、１個ずつでもよい。
【０１０４】
また、第１の光源２１１ａ及び第２の光源２１１ｂは、切り替えられて点灯するが、切り替え前後の点灯時の明るさが同じになるように同数配置するとよい。これにより、切り替え前後における明るさの大きな変化に伴う煩わしさ感を抑制できる。
【０１０５】
さらに、第１の光源２１１ａ及び第２の光源２１１ｂの切り替え前後で光強度分布が変化しないように、かつ、それぞれの点灯時に均一な光強度分布が得られるように、第１の光源２１１ａ及び第２の光源２１１ｂは均等に配置するとよい。例えば、図８に示すように、縦方向及び横方向に第１の光源２１１ａと第２の光源２１１ｂとを交互に配置するとよい。これにより、切り替え前後における明るさの変化に伴う煩わしさ感をさらに抑制できる。
【０１０６】
［制御部］
制御部２２０は、光源部２１１の点灯状態を制御する。具体的には、第１の光源２１１ａ及び第２の光源２１１ｂを点灯（発光）させたり消灯させたりするための電気信号を光出力部２１０に供給する。
【０１０７】
また、制御部２２０は、相対的に目立ち指数が小さい第１の光源２１１ａの光と相対的に目立ち指数の大きい第２の光源２１１ｂの光とが光出力部２１０（光源部２１１）から交互に出力するように光出力部２１０を制御する。
【０１０８】
さらに、制御部２２０は、入力部２５０からの入力信号に基づいて、第１の光源２１１ａと第２の光源２１１ｂとの点灯を切り替える時間の間隔や速さを変更したり、第１の光源２１１ａと第２の光源２１１ｂとの切り替え方法（フェードイン／フェードアウト、カットイン／カットアウト）を変更したり、第１の光源２１１ａ及び第２の光源２１１ｂの点灯個数を変更したりするための信号を光源部２１１に供給する。例えば、制御部２２０は、ユーザが入力部２５０に入力した情報に基づいて光源部２１１の点灯状態を制御する。
【０１０９】
なお、本実施の形態でも、目立ち指数が変化する範囲を１２９から１０８としているが、これに限らない。また、２つの光の目立ち指数の差は、少なくとも１０以上あれば、目立ち指数の値はいくつでも構わず、目立ち指数の差が大きいほど、より大きな見た目の変化を実現することができる。
【０１１０】
［入力部］
入力部２５０は、ユーザからの入力を受け付ける操作パネル等であり、例えばスイッチやダイヤルである。ユーザは、入力部２５０を操作することによって、第１の光源２１１ａと第２の光源２１１ｂとを切り替える時間の間隔や速さを設定したり、第１の光源２１１ａと第２の光源２１１ｂとの切り替え方法（フェードイン／フェードアウト、カットイン／カットアウト）を設定したり、第１の光源２１１ａ及び第２の光源２１１ｂの点灯個数を設定したりできる。入力部２５０は、ユーザの入力に基づいて制御部２２０に所定の信号を供給する。
【０１１１】
このように入力部２５０を設けることによって、光出力部２１０（光源部２１１）から出力される目立ち指数の高い光と低い光とを切り替える時間の間隔又は切り替え方法（切り替えのスピード等）をユーザが望ましい状態に設定することができる。これにより、照射対象や、周辺環境、目的に合わせて得られる視覚効果を変更することができる。
【０１１２】
［動作］
次に、本実施の形態に係る照明装置２の動作について、図１１を用いて説明する。図１１は、本発明の実施の形態２に係る照明装置の動作を説明するための図である。
【０１１３】
まず、電源をＯＮすると光源部２１１が点灯し、光出力部２１０（光源部２１１）から所定の光が出力する。
【０１１４】
例えば、図１１（ａ）に示すように、第１の光源２１１ａが点灯する。このとき、第２の光源２１１ｂは消灯している。この場合、図８における光出力部２１０からは、相対的に目立ち指数の低い白色光（例えばＦＣＩ＝１０８）のみが出力されるので、看板等の照射対象物は、目立ち指数が低い白色光で照らされる。
【０１１５】
次いで、所定時間後、図１１（ｂ）に示すように、第１の光源２１１ａが消灯すると同時に、第２の光源２１１ｂが点灯する。つまり、第１の光源２１１ａと第２の光源２１１ｂとの点灯及び消灯が切り替えられる。この場合、図８における光出力部２１０からは、相対的に目立ち指数の高い白色光（例えばＦＣＩ＝１２９）のみが出力されるので、看板等の照射対象物は、目立ち指数が高い色光で照らされる。
【０１１６】
その後、設定された所定の時間間隔で、第１の光源２１１ａの点灯及び消灯と第２の光源２１１ｂの消灯及び点灯とが交互に繰り返される。つまり、図８における光出力部２１０からは、目立ち指数の低い光（第１の光源２１１ａの光）と目立ち指数の高い光（第２の光源２１１ｂの光）とが所定の時間間隔で交互に切り替えられて出力される。例えば、このように光を変化させることによって同一の照射対象物の色の見えが、図１０に示すように変化する。
【０１１７】
また、本実施の形態では、第１の光源２１１ａの全体の光出力と第２の光源２１１ｂの全体の光出力とを同じにしているので、光出力部２１０（光源部２１１）から出力される光の明るさは、第１の光源２１１ａと第２の光源２１１ｂとの切り替え前後において変化せず、一定に保たれる。
【０１１８】
このように、本実施の形態でも、光出力部２１０から出力する光の目立ち指数を時間的に変化させているので、照射対象物の無彩色や低彩度色の見えはあまり変化させずに、高彩度色の鮮やかさだけを大きく変化させることができる。したがって、高彩度色の部分だけが明滅しているような演出効果を得ることができる。この結果、照射対象物の目立ち感を変化させることができるので、照射対象物の誘目性を高めることができる。
【０１１９】
また、上記の切り替え方法では、目立ち指数の低い光と高い光とが瞬時に切り替わるように、第１の光源２１１ａの点灯及び消灯の切り替えと第２の光源２１１ｂの消灯及び消灯の切り替えとを瞬時に行った（つまり、カットイン／カットアウトとした）が、これに限らない。
【０１２０】
例えば、目立ち指数の低い光と高い光とが徐々に切り替わるように、光出力を調整しながら第１の光源２１１ａの点灯及び消灯と第２の光源２１１ｂの消灯及び点灯の切り替えを行ってもよい。
【０１２１】
この場合、図１１（ａ）から図１１（ｂ）の状態に切り替える際、第１の光源２１１ａの光出力を徐々に下げると同時に、第２の光源２１１ｂの光出力を徐々に上げるように、切り替えのスピードを制御する。このとき、第１の光源２１１ａの光出力と第２の光源２１１ｂの光出力との合計値をほぼ変化させずに常に略一定に保たれるように、第１の光源２１１ａ及び第２の光源２１１ｂの光出力バランスを制御する。
【０１２２】
このような切り替え方法を用いることによって、光出力部２１０から出力される光によって照らされた物体の彩度がフェードイン又はフェードアウトするように変化させることができる。この場合、例えば、図１０に示される第１の光源２１１ａと第２の光源２１１ｂとの色の間で徐々に見え方が変化する。
【０１２３】
なお、本実施の形態でも、目立ち指数の低い光と目立ち指数の高い光とを切り替えるときの時間間隔（変化速度）は、例えば、数秒程度の間隔（例えば１秒間隔）とすることができる。
【０１２４】
［効果等］
以上、本実施の形態に係る照明装置２によれば、実施の形態１と同様に、照明光として目立ち指数の異なる光を所定の時間間隔で切り替えて出力させることができる。これにより、照明装置２から出力される光（照明光）は、光色及び照度が同じのままでその光で照らされた物体の彩度（鮮やかさ）が変化する。この結果、照射対象物の色の見えがくすんだ状態と鮮やかな状態とに変化し、照射対象物の色自体が変化しているような演出効果が得られる。したがって、照射対象物の誘目性を高めることができる。また、光自体の色や明るさの大きな変化を伴わないので、煩わしさ感や光害を抑制できる。
【０１２５】
さらに、本実施の形態に係る照明装置２は、実施の形態１と同様に、外照式の照明装置であるので、看板等の掲示内容を変えたい場合等で照射対象物を変更したい場合であっても、容易に照射対象物を取り替えることができる。
【０１２６】
また、本実施の形態では、点灯させる光源を切り替えることで照明装置２から出力する光の目立ち指数を変化させている。具体的には、目立ち指数の異なる光を出力する第１の光源２１１ａと第２の光源２１１ｂとを排他的に点灯させている。
【０１２７】
この構成により、光の色や明るさの変化を抑えながら目立ち指数の異なる複数の光を簡単に出力させることができる。
【０１２８】
また、本実施の形態では、異なる目立ち指数の一方の値から他方の値に切り替える際に、第１の光源２１１ａ及び第２の光源２１１ｂの点灯及び消灯を瞬時に切り替えている。
【０１２９】
これにより、照射対象物の高彩度色の部分が点滅しているような視覚効果を得ることができる。
【０１３０】
あるいは、本実施の形態において、異なる目立ち指数の一方の値から他方の値に切り替える際に、光出力部２１０（光源部２１１）の合計の光出力が略一定としつつ、第１の光源２１１ａの光出力と第２の光源２１１ｂの光出力とを負の相関関係を有するように変化させてもよい。
【０１３１】
これにより、照射対象物の高彩度色の部分がフェードイン又はフェードアウトを繰り返しているような視覚効果を得ることができる。
【０１３２】
（その他変形例等）
以下、上記実施の形態における照明装置の変形例について説明する。
【０１３３】
（変形例１）
例えば、上記実施の形態１、２では、ライトアップ用の外照式の照明装置を用いて説明したが、内照式の照明装置にも適用することができる。一例として、図１２に示すように、ケース内部に収納した掲示物を透明板（ガラス板等）越しに見ることができる内照式の照明装置において、目立ち指数の低い光と目立ち指数の高い光とを出力できる光出力部２１０Ａによって掲示物を周辺から照らすように構成することができる。
【０１３４】
この場合、光出力部２１０Ａは、例えば、実施の形態２と同様に、相対的に目立ち指数の低い光を出力する第１の光源２１１Ａａと、相対的に目立ち指数の高い光を第２の光源２１１Ａｂとを有する光源部２１１Ａを備えている。そして、制御部（不図示）によって、目立ち指数が小さい第１の光源２１１Ａａの光と目立ち指数の大きい第２の光源２１１Ａｂの光とが交互に出力するよう制御される。第１の光源２１１Ａａと第２の光源２１１Ａｂとの光出力の制御は、実施の形態２と同様して行うことができる。
【０１３５】
なお、図１２では、第１の光源２１１Ａａと第２の光源２１１Ａｂとは、掲示物を上下方向から照らすように掲示物の上部及び下部に配置されているが、これに限らない。また、第１の光源２１１Ａａと第２の光源２１１Ａｂとは交互に配置されているが、これに限らない。また、実施の形態１のような構成を、内照式の照明装置に適用することもできる。
【０１３６】
（変形例２）
また、上記実施の形態２では、第１の光源２１１ａと第２の光源２１１ｂとの点灯及び消灯が切り替えられても光出力部２１０によって照射されるエリアでは一定であったが、これに限らない。
【０１３７】
例えば、目立ち指数が同じ光を出力する同一種類の白色光源を複数配置して、同一種類の白色光源ごとに異なるタイミングで光を出力させてもよい。一例として、図１３に示すように、目立ち指数が互いに異なる光を４種類の白色光源として、第１の光源３１１ａ、第２の光源３１１ｂ、第３の光源３１１ｃ及び第４の光源３１１ｄをそれぞれ３個配置して、制御部（不図示）によって、同一種類の白色光源ごとに下から順に異なるタイミングで光を出力させる。より具体的には、まず、図１３（ａ）に示すように、第１の光源３１１ａのみを点灯し、次いで所定時間後に、図１３（ｂ）に示すように、第２の光源３１１ｂのみを点灯し、次いで所定時間後に、図１３（ｃ）に示すように、第３の光源３１１ｃのみを点灯し、次いで所定時間後に、図１３（ｄ）に示すように、第４の光源３１１ｄを点灯させる。
【０１３８】
これにより、照射エリアが複数となり、また、照射エリアによって、色の見えの変化が生じるタイミングがずれる。この結果、より動きのある視覚効果を得ることができる。
【０１３９】
なお、本変形例において、４種類の白色光源の各々の光の目立ち指数の値は、例えば、第１の光源３１１ａ、第２の光源３１１ｂ、第３の光源３１１ｃ及び第４の光源３１１ｄの順に段階的に高くなるように、あるいは、低くなるように設定することができる。
【０１４０】
また、本変形例では、図１３に示すように、第１の光源３１１ａ、第２の光源３１１ｂ、第３の光源３１１ｃ及び第４の光源３１１ｄは、それぞれ複数配置したが、少なくとも１個あればよい。
【０１４１】
また、本変形例では、下から上に照射エリアを変化させたが、上から下に変化させてもよい。また、照射エリアは、縦方向に分割するものに限られない。例えば、照射エリアを横方向に分割し、左右方向に照射エリアを変化させてもよいし、照射エリアを中心から外側に向かって分割して照射エリアを中心から外側に変化させてもよいし、その逆でもよい。
【０１４２】
（その他）
以上、本発明に係る照明装置について、実施の形態及び変形例に基づいて説明したが、本発明は、上記実施の形態及び変形例に限定されるものではない。
【０１４３】
例えば、上記実施の形態１、２では、照射対象物として、高彩度の赤・緑・青・黄及び白色の見えの変化を示すものを用いたが、照射対象物はこのような色を全て含むものに限定されるものではなく、少なくとも１種類の有彩色を含んだものであれば同様の効果を得ることができる。
【０１４４】
その他、各実施の形態及び変形例に対して当業者が思いつく各種変形を施して得られる形態や、本発明の趣旨を逸脱しない範囲で実施の形態における構成要素及び機能を任意に組み合わせることで実現される形態も本発明に含まれる。
【符号の説明】
【０１４５】
１、２  照明装置
１１０、２１０、２１０Ａ  光出力部
１１１、２１１、２１１Ａ  光源部
１１１ａ  光源
１１１ｂ  基板
１１２  目立ち指数可変部
１１２ａ  パネル
１１２ｂ  フィルタ
１２０、２２０  制御部
１３０  駆動部
１４０  筐体
２１１ａ、２１１Ａａ、３１１ａ  第１の光源
２１１ｂ、２１１Ａｂ、３１１ｂ  第２の光源
２５０  入力部
３１１ｃ  第３の光源
３１１ｄ  第４の光源
【図１】
2015026549.tif 000004
【図２】
2015026549.tif 000005
【図３】
2015026549.tif 000006
【図４】
2015026549.tif 000007
【図５】
2015026549.tif 000008
【図６】
2015026549.tif 000009
【図７】
2015026549.tif 000010
【図８】
2015026549.tif 000011
【図９】
2015026549.tif 000012
【図１０】
2015026549.tif 000013
【図１１】
2015026549.tif 000014
【図１２】
2015026549.tif 000015
【図１３】
2015026549.tif 000016